(57)【要約】      （修正有）【課題】センサを用いることなく、ピットの内部の作業者に対してかごの接近または釣合オモリの接近を知らせることができるエレベーターのピット内作業安全装置を提供する。【解決手段】エレベーターのかご７の下部と釣合オモリ８の下部とに連結され、張り車に巻き掛けられずに吊り下げられたアンバランス補正体９の外面に、かごの下部または釣合オモリの下部から下方に予め設定された距離だけ離れた位置に蛍光体または反射体で形成される注意喚起体１２を設けた。【選択図】図１
2019077525.tif 000002
【特許請求の範囲】
【請求項１】
蛍光体または反射体で形成され、エレベーターのかごの下部と釣合オモリの下部とに連結された状態で張り車に巻き掛けられずに吊り下げられたアンバランス補正体の外面において前記かごの下部または前記釣合オモリの下部から下方に予め設定された距離だけ離れた位置に設けられた注意喚起体、
を備えたエレベーターのピット内作業安全装置。
【請求項２】
前記注意喚起体は、
前記かごの下部または前記釣合オモリの下部に近づくにつれて間隔が短くなる複数の蛍光体または複数の反射体で形成された請求項１に記載のエレベーターのピット内作業安全装置。
【請求項３】
前記エレベーターの昇降路に設けられ、前記かごの下部または前記釣合オモリの下部に光を投じる投光器、
を備えた請求項１または請求項２に記載のエレベーターのピット内作業安全装置。
【請求項４】
展望用エレベーターのピットに設けられ、前記アンバランス補正体に紫外線を照射する紫外線照射装置、
を備え、
前記注意喚起体は、前記紫外線照射装置により照射された紫外線に反応する蛍光体で形成された請求項１に記載のエレベーターのピット内作業安全装置。
【請求項５】
前記紫外線照射装置は、前記エレベーターのピットに設けられた点検灯の点灯と連動して紫外線を照射する請求項４に記載のエレベーターのピット内作業安全装置。
【請求項６】
前記紫外線照射装置は、前記エレベーターのかごの上部に設けられた点検灯の点灯と連動して紫外線を照射する請求項４に記載のエレベーターのピット内作業安全装置。
【発明の詳細な説明】
【技術分野】
【０００１】
この発明は、エレベーターのピット内作業安全装置に関する。
【背景技術】
【０００２】
特許文献１は、エレベーターのピット内作業安全装置を開示する。当該ピット内作業安全装置によれば、ピットの内部の作業者に対して釣合オモリの接近を知らせることができる。また、当該ピット内作業安全装置をかごに適用すれば、ピットの内部の作業者に対してかごの接近を知らせることができる。
【先行技術文献】
【特許文献】
【０００３】
【特許文献１】特開平７−２６７５３０号公報
【発明の概要】
【発明が解決しようとする課題】
【０００４】
しかしながら、特許文献１に記載のピット内作業安全装置においては、釣合オモリの接近を検出するセンサを必要とする。このため、ピット内作業安全装置の構成が複雑になる。
【０００５】
この発明は、上述の課題を解決するためになされた。この発明の目的は、センサを用いることなく、ピットの内部の作業者に対してかごの接近または釣合オモリの接近を知らせることができるエレベーターのピット内作業安全装置を提供することである。
【課題を解決するための手段】
【０００６】
この発明に係るエレベーターのピット内作業安全装置は、蛍光体または反射体で形成され、エレベーターのかごの下部と釣合オモリの下部とに連結された状態で張り車に巻き掛けられずに吊り下げられたアンバランス補正体の外面において前記かごの下部または前記釣合オモリの下部から下方に予め設定された距離だけ離れた位置に設けられた注意喚起体、を備えた。
【発明の効果】
【０００７】
この発明によれば、注意喚起体がアンバランス補正体に設けられる。このため、センサを用いることなく、ピットの内部の作業者に対してかごの接近または釣合オモリの接近を知らせることができる。
【図面の簡単な説明】
【０００８】
【図１】実施の形態１におけるエレベーターのピット内作業安全装置が適用されるエレベーターの構成図である。
【図２】実施の形態１におけるエレベーターのピット内作業安全装置が適用されるエレベーターの構成図である。
【図３】実施の形態１におけるエレベーターのピット内作業安全装置が適用されるエレベーターの構成図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略される。
【００１０】
実施の形態１．
図１は実施の形態１におけるエレベーターのピット内作業安全装置が適用されるエレベーターの構成図である。
【００１１】
図１のエレベーターにおいて、昇降路１は、建築物の各階を貫く。ピット２は、昇降路１の底部に設けられる。機械室３は、昇降路１の上方に設けられる。
【００１２】
巻上機４は、機械室３の内部に設けられる。そらせ車５は、機械室３の内部に設けられる。主ロープ６は、巻上機４とそらせ車５とに巻き掛けられる。
【００１３】
かご７は、昇降路１の内部に設けられる。かご７は、主ロープ６の一側に吊り下げられる。釣合オモリ８は、昇降路１の内部に設けられる。釣合オモリ８は、主ロープ６の他側に吊り下げられる。
【００１４】
例えば、アンバランス補正体９は、数本の鎖単体で形成される。例えば、アンバランス補正体９は、ケーブル状に形成される。具体的には、アンバランス補正体９は、鎖を鉄球等にともにウレタンで充填して形成される。アンバランス補正体９は、かご７の下部と釣合オモリ８の下部とに連結される。アンバランス補正体９は、張り車に巻き掛けられずにＵ字状に吊り下げられる。例えば、アンバランス補正体９において、Ｕ字状の屈曲部の下端は、ピット２の床面よりも０．２ｍから１．０ｍの間の距離だけ上方に配置される。
【００１５】
かご側緩衝器１０は、昇降路１のピット２に設けられる。かご側緩衝器１０は、水平投影面上においてかご７と重なる位置に設けられる。オモリ側緩衝器１１は、昇降路１のピット２に設けられる。オモリ側緩衝器１１は、水平投影面上において釣合オモリ８と重なる位置に設けられる。
【００１６】
注意喚起体１２は、蛍光体または反射体で形成される。注意喚起体１２は、かご７の下部または釣合オモリ８の下部から下方に予め設定された距離だけ離れた位置においてアンバランス補正体９の外周面に設けられる。注意喚起体１２は、かご７の下面または釣合オモリ８の下面に設けられることもある。
【００１７】
図１においては、注意喚起体１２は、かご７の下部および釣合オモリ８の下部から下方に１０ｍ程度の位置までアンバランス補正体９の外周面に設けられる。具体的には、注意喚起体１２は、複数の注意喚起部１２ａを備える。複数の注意喚起部１２ａは、かご７の下部および釣合オモリ８の下部に近づくにつれて間隔が短くなる複数の蛍光体または複数の反射体で形成される。複数の注意喚起部１２ａの各々は、テープ状に形成される。複数の注意喚起部１２ａの各々は、連続的でなく部分的にアンバランス補正体９の外周面に貼り付けられる。
【００１８】
次に、図２を用いて、かご７がピット２に近づく場合を説明する。
図２は実施の形態１におけるエレベーターのピット内作業安全装置が適用されるエレベーターの構成図である。
【００１９】
図２に示されるように、作業者Ａが比較的浅いピット２の内部で作業を行っている際、かご７がピット２に近づく。例えば、かご７は、概ね分速１８０ｍ以下の速度でピット２に近づく。
【００２０】
この際、かご７の側において、最も下側の注意喚起部１２ａが作業者Ａに近づく。その結果、当該注意喚起部１２ａは、作業者Ａに視認される。その後、かご７がピット２に近づくにつれ、複数の注意喚起部１２ａの各々が作業者Ａに近づく。その結果、複数の注意喚起部１２ａの各々が順々に作業者Ａに視認される。
【００２１】
この際、隣接した注意喚起部１２ａが視認される間隔は、かご７がピット２に近づくにつれて短くなる。このため、作業者Ａは、かご７が徐々にピット２に近づいていることを認識する。
【００２２】
次に、図３を用いて、釣合オモリ８がピット２に近づく場合を説明する。
図３は実施の形態１におけるエレベーターのピット内作業安全装置が適用されるエレベーターの構成図である。
【００２３】
図３に示されるように、作業者Ａが比較的浅いピット２の内部で作業を行っている際、釣合オモリ８がピット２に近づく。例えば、釣合オモリ８は、概ね分速１８０ｍ以下の速度でピット２に近づく。
【００２４】
この際、釣合オモリ８の側において、最も下側の注意喚起部１２ａが作業者Ａに近づく。その結果、当該注意喚起部１２ａは、作業者Ａに視認される。その後、釣合オモリ８がピット２に近づくにつれ、複数の注意喚起部１２ａの各々が作業者Ａに近づく。その結果、複数の注意喚起部１２ａの各々が順々に作業者Ａに視認される。
【００２５】
この際、隣接した注意喚起部１２ａが視認される間隔は、釣合オモリ８がピット２に近づくにつれて短くなる。このため、作業者Ａは、釣合オモリ８が徐々にピット２に近づいていることを認識する。
【００２６】
以上で説明した実施の形態１によれば、注意喚起体１２がアンバランス補正体９に設けられる。このため、センサを用いることなく、ピット２の内部の作業者Ａに対してかご７の接近および釣合オモリ８の接近を知らせることができる。
【００２７】
なお、アンバランス補正体９は、張り車に巻き掛けられない。このため、注意喚起体１２が張り車の油で汚れることもない。
【００２８】
また、かご７の下部または釣合オモリ８の下部においてアンバランス補正体９に光を投じる投光器をピット２に設けてもよい。この際、かご７の下面または釣合オモリ８の下面に鏡を設けてもよい。この場合、投光器からの光がかご７の下面または釣合オモリ８の下面の鏡で反射する。この場合、注意喚起体１２が作業者Ａに視認されやすくなる。その結果、ピット２の内部の作業者Ａに対してかご７の接近または釣合オモリ８の接近をより確実に知らせることができる。
【００２９】
また、展望用エレベーター等の外部から内部が見える昇降路１においては、紫外線に反応する蛍光体で注意喚起体１２を形成してもよい。例えば、紫外線に反応する蛍光体をアンバランス補正体９に塗布すればよい。この際、かご７の下部または釣合オモリ８の下部においてアンバランス補正体９に紫外線を照射する紫外線装置をピット２に設けければよい。この場合、注意喚起体１２が作業者Ａに視認されやすくなる。その結果、昇降路１の内部の意匠性を損なうことなく、ピット２の内部の作業者Ａに対してかご７の接近または釣合オモリ８の接近を知らせることができる。
【００３０】
この際、ピット２に設けられた点検灯の点灯と連動して紫外線照射装置に紫外線を照射させてもよい。この場合、ピット２の内部の作業時において、紫外線照射装置を確実に動作させることができる。その結果、蛍光体に対して紫外線を確実に照射することができる。
【００３１】
また、かご７の上部に設けられた点検灯の点灯と連動して紫外線照射装置に紫外線を照射させてもよい。この場合、ピット２の内部の作業時において、紫外線照射装置を確実に動作させることができる。その結果、蛍光体に対して紫外線を確実に照射することができる。
【００３２】
また、かご７の側および釣合オモリ８の側の一方のみに注意喚起体１２を設けてもよい。この場合でも、センサを用いることなく、ピット２の内部の作業者Ａに対してかご７の接近および釣合オモリ８の一方の接近を知らせることができる。
【００３３】
また、機械室３のないエレベーターに注意喚起体１２を適用してもよい。この場合も、センサを用いることなく、ピット２の内部の作業者Ａに対してかご７の接近および釣合オモリ８の接近を知らせることができる。
【符号の説明】
【００３４】
１  昇降路、  ２  ピット、  ３  機械室、  ４  巻上機、  ５  そらせ車、  ６  主ロープ、  ７  かご、  ８  釣合オモリ、  ９  アンバランス補正体９、  １０  かご側緩衝器、  １１  オモリ側緩衝器、  １２  注意喚起体、  １２ａ  注意喚起部
【図１】
2019077525.tif 000003
【図２】
2019077525.tif 000004
【図３】
2019077525.tif 000005